(57)【特許請求の範囲】
【請求項１】
一端部側が先端に向かって徐々に縮小する傾斜面を有する筒状の本体内に、光源からの光の光路を形成する光照射部と、前記光源の点灯制御を行う制御回路部と、前記制御回路部を介して前記光源に給電する電源部を備えた光照射装置であって、
前記光照射部は、前記本体の前記傾斜面の傾斜方向に長手方向がほぼ沿うように配置された筒状の放電管と、
前記放電管の長手方向と同一方向を長手方向とし該放電管を囲むように配置された開口を有するリフレクタと、
前記リフレクタの前記開口前方に位置し、該リフレクタの長手方向と同一方向を長手方向として前記本体に嵌め込まれた、透明材料からなる透光窓を備え、
前記透光窓は外面が本体から突出していることを特徴とする光照射装置。
【請求項２】
互いに交差する平面で形成される稜線を少なくとも１つ有する形状、又は２つの平面に交差する交差平面を少なくとも１つ有する形状の本体内に、光源からの光の光路を形成する光照射部と、前記光源の点灯制御を行う制御回路部と、前記制御回路部を介して前記光源に給電する電源部を備えた光照射装置であって、
前記光照射部は、前記本体の稜線方向又は交差平面の長手方向に沿うように配置された筒状の放電管と、
前記放電管の長手方向と同一方向を長手方向とし該放電管を囲むように配置された開口を有するリフレクタと、
前記リフレクタの開口前方に位置し、該リフレクタの長手方向と同一方向を長手方向として前記本体の稜線部又は交差平面部に嵌め込まれた、透明材料からなる透光窓を備えたことを特徴とする光照射装置。
【請求項３】
前記透光窓は外面が前記稜線又は前記交差平面から突出していることを特徴とする請求項２に記載の光照射装置。
【請求項４】
下端開口を設けた枠状の支持部ハウジングを有する固定支持部と、前記固定支持部の内壁に沿って移動可能に配設された、本体部ハウジングを有する可動本体部を備え、
前記本体部ハウジング内に、光源からの光の光路を形成する光照射部と、前記光源の点灯制御を行う制御回路部と、前記制御回路部を介して前記光源に給電する電源部を備えた光照射装置であって、
前記光照射部は、前記支持部ハウジングの前記下端開口を輪郭とした面に長手方向が平行に配置された筒状の放電管と、前記放電管の長手方向と同一方向を長手方向とし該放電管を囲むように且つ開口を前記支持部ハウジングの前記下端開口の方向に向けた状態で配置されたリフレクタと、前記リフレクタの前記開口を塞ぐように該開口の端部に設置された透明材料からなる透光窓と、を備えていることを特徴とする光照射装置。
【発明の詳細な説明】
【技術分野】
【０００１】
本発明は、光照射装置に関するものであり、詳しくは、消色性又は変色性を有するインクで記された文字や図柄等に近赤外及び可視光波長領域の光エネルギーを照射することにより消色又は変色する、光照射装置に関する。
【背景技術】
【０００２】
従来、この種の光照射装置としては、例えば、以下のような構成からなる消色に係わる装置（消色装置）が開示されている。
【０００３】
それは、図１０に示すように、下側を開口としたケース８０内に反射板８１を設け、反射板８１の下方にソケット８２を設けてハロゲンランプ８３を取り付け、ハロゲンランプ８３の下方に凸レンズ８４を設け、ケース８０の開口端部の対向する位置に一対のローラ８５を配置した構成としている。
【０００４】
そして、ハロゲンランプ８３を点灯状態にして消色装置８６を消色（消去）したい文字や図柄等に沿って紙面上をローラ８５を介して移動させることにより、ハロゲンランプ８３からの出射光が凸レンズ８４を介して照射されて、消去性着色剤が用いられた文字や図柄等が消色（消去）されるというものである（例えば、特許文献１参照。）。
【０００５】
また、図１１に示すように、両端開口の円筒状のケーシング９０の一半分部に、液状触媒を保持する保持タンク９１と、該保持タンク９１から延びてケーシング９０の一半分部側の開口端部から突出した硬質フェルト要素９２を設け、円筒状のケーシング９０の他半分部に、凹面反射鏡要素９３と該凹面反射鏡要素９３の焦点に、ケーシング９０内に収容された乾電池９４に接続したハロゲンランプ９５を設け、ケーシング９０の他半分部側の開口端部に透明ガラス９６を設けた構成としたものもある。
【０００６】
これにより、近赤外線消色型色素からなる触媒非含有記録剤による書き損じ等に、ケーシング９０の一半分部側の開口端部から突出した硬質フェルト要素９２を介して液状触媒を塗布し、次いで、ケーシング９０の他半分部側に設けられたハロゲンランプ９５を点灯して近赤外線の出射光を透明ガラス９６を介して、開口端部から突出した硬質フェルト要素９２を介して液状触媒が塗布された書き損じ等の部分に照射する。すると、近赤外線による照射部に熱が発生して書き損じ部等に塗布された液状触媒を簡単に消色することができるというものである（例えば、特許文献２参照。）。
【先行技術文献】
【特許文献】
【０００７】
【特許文献１】実開平５−７４９８号公報
【特許文献２】特許第２９９６５８１号
【発明の概要】
【発明が解決しようとする課題】
【０００８】
ところで、上記特許文献１に開示された消色装置は、ハロゲンランプ点灯時の発熱が使用時から使用後までケース内にこもってケース温度を上昇させ、使用者がやけどを負う危険性がある。また、ハロゲンランプの点灯用電源をケース外に別体に設けざるを得ず、携帯性に乏しいという問題がある。
【０００９】
また、特許文献２に開示された消色装置は、特許文献１と同様の理由で使用者がやけどを負う危険性があると共に、近赤外線の照射部の大きさ（外径）がハロゲンランプの大きさに制約を受ける。そのため、携帯性は確保できたとしてもペンや消しゴム等の小物文房具のような使い勝手に優れた形状・寸法とすることは極めて難しい。
【００１０】
そこで、本発明は上記問題に鑑みて創案なされたもので、その目的とするところは、携帯性に優れ、且つペンや消しゴムやスタンプ等の小物文房具と同等の使用感覚で所望の部分を正確・確実に消色又は変色することが可能な光照射装置を提供することにある。
【課題を解決するための手段】
【００１１】
上記課題を解決するために、本発明の請求項１に記載された発明は、一端部側が先端に向かって徐々に縮小する傾斜面を有する筒状の本体内に、光源からの光の光路を形成する光照射部と、前記光源の点灯制御を行う制御回路部と、前記制御回路部を介して前記光源に給電する電源部を備えた光照射装置であって、前記光照射部は、前記本体の前記傾斜面の傾斜方向に長手方向がほぼ沿うように配置された筒状の放電管と、前記放電管の長手方向と同一方向を長手方向とし該放電管を囲むように配置された開口を有するリフレクタと、
前記リフレクタの前記開口前方に位置し、該リフレクタの長手方向と同一方向を長手方向として前記本体に嵌め込まれた、透明材料からなる透光窓を備え、前記透光窓は外面が本体から突出していることを特徴とするものである。
【００１２】
また、本発明の請求項２に記載された発明は、互いに交差する平面で形成される稜線を少なくとも１つ有する形状、又は２つの平面に交差する交差平面を少なくとも１つ有する形状の本体内に、光源からの光の光路を形成する光照射部と、前記光源の点灯制御を行う制御回路部と、前記制御回路部を介して前記光源に給電する電源部を備えた光照射装置であって、前記光照射部は、前記本体の稜線方向又は交差平面の長手方向に沿うように配置された筒状の放電管と、前記放電管の長手方向と同一方向を長手方向とし該放電管を囲むように配置された開口を有するリフレクタと、前記リフレクタの開口前方に位置し、該リフレクタの長手方向と同一方向を長手方向として前記本体の稜線部又は交差平面部に嵌め込まれた、透明材料からなる透光窓を備えたことを特徴とするものである。
【００１３】
また、本発明の請求項３に記載された発明は、請求項２において、前記透光窓は外面が前記稜線又は前記交差平面から突出していることを特徴とするものである。
【００１４】
また、本発明の請求項４に記載された発明は、下端開口を設けた枠状の支持部ハウジングを有する固定支持部と、前記固定支持部の内壁に沿って移動可能に配設された、本体部ハウジングを有する可動本体部を備え、前記本体部ハウジング内に、光源からの光の光路を形成する光照射部と、前記光源の点灯制御を行う制御回路部と、前記制御回路部を介して前記光源に給電する電源部を備えた光照射装置であって、前記光照射部は、前記支持部ハウジングの前記下端開口を輪郭とした面に長手方向が平行に配置された筒状の放電管と、前記放電管の長手方向と同一方向を長手方向とし該放電管を囲むように且つ開口を前記支持部ハウジングの前記下端開口の方向に向けた状態で配置されたリフレクタと、前記リフレクタの前記開口を塞ぐように該開口の端部に設置された透明材料からなる透光窓と、を備えていることを特徴とするものである。
【発明の効果】
【００１５】
本発明の光照射装置は、本体内に光源からの光の光路を形成する光照射部と、光源の点灯制御を行う制御回路部と、制御回路部を介して光源に給電する電源部を備え、そのうちの光照射部を、放電管と該放電管を囲むリフレクタと該リフレクタの開口前方に位置し本体に嵌め込まれた透光窓を備え、透光窓の外面を本体から突出させた構成とした。
【００１６】
そして、放電管から発せられて直接透光窓に向かう光線、放電管から発せられてリフレクタで反射されて透光窓に向かう光線がいずれも透光窓内を導光されて外部に照射され、その照射光によって消色性インク又は変色性インクで記された文字や図柄等を消色又は変色する。
【００１７】
その結果、構造的には、本体の小スペース内に、電源部、制御回路部及び光照射部の領域を設け、夫々の領域に、下述するように電池、放電コンデンサを含む回路部品実装基板及び光学部品を収納するようにした。そのため、文房具と同等の使用感覚で消色又は変色操作をすることが可能となると共に、優れた携帯性をも有するものとなった。
【００１８】
また、光学的には、放電管から発せられた光のうち消色又は変色に寄与する光の割合が大きく、高い光利用効率により確実に消色又は変色を行うことが可能となった。
【００１９】
更に、実用的には、透光窓の突出部の外面を文字や図柄等の不要な部分に位置させることにより簡単に且つ正確に照射領域の位置決めを行うことができる。そのため、所望の消色又は変色領域の文字や図柄等を正確・確実に消色又は変色することができる。
【図面の簡単な説明】
【００２０】
【図１】本発明に係わる実施例１の光照射装置の構成を模式的に示した説明図である。
【図２】光照射装置の光照射部の構成を模式的に示した説明図である。
【図３】光照射部の光学系による光路形成の説明図である。
【図４】光照射装置の使用状態を示す説明図である。
【図５】本発明に係わる実施例２の光照射装置の構成を模式的に示した説明図である。
【図６】図５の部分断面を模式的に示した説明図である。
【図７】光照射装置の使用状態を示す説明図である。
【図８】本発明に係わる実施例３の光照射装置の構成を模式的に示した説明図である。
【図９−１】光照射装置の使用状態を示す説明図である。
【図９−２】光照射装置の使用状態を示す説明図である。
【図１０】従来例の説明図である。
【図１１】他の従来例の説明図である。
【発明を実施するための形態】
【００２１】
以下、この発明の好適な実施形態を図１〜図９を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【実施例１】
【００２２】
図１は本発明の実施例１に係わる小型光照射装置の構成を模式的に示した説明図、図２は小型光照射装置の光照射部の構成を模式的に示した説明図、図３は光照射部の光学系による光路形成の説明図、図４は小型光照射装置の使用状態を示す説明図である。
【００２３】
なお、下述の実施例はいずれも消色に係わる光照射装置について説明したものである。
【００２４】
図１より、本実施例の小型光照射装置１は、消色のための近赤外及び可視光波長領域の光の照射に係わる光照射部１０と、光照射部１０を電気的に制御するための制御回路部２０と、制御回路部２０に電力を供給するための電源部３０で構成されている。
【００２５】
光照射部１０は、近赤外及び可視光波長領域の光を発する放電管１１と、放電管１１から発せられた光を照射方向（前方）に向けるリフレクタ１２と、放電管１１からの直射光及び放電管１１から発せられてリフレクタ１２で反射された反射光を透過して外部に照射する透光窓１３で構成されている。
【００２６】
制御回路部２０は、充電時に、電源部３０から供給された電気エネルギーを蓄えると共に放電時に、蓄えられた電気エネルギーを放電して大電流で放電管１１を閃光させる放電コンデンサ２１と、電源部３０から供給された電圧を放電管１１の発光電圧まで昇圧して放電コンデンサ２１を充電する昇圧充電回路を構成する回路部品２２及び放電コンデンサ２１の放電（放電管１１の閃光）開始を制御する閃光用スイッチ２３が実装された回路部品実装基板２４で構成されている。
【００２７】
電源部３０は、一次電池又は二次電池のいずれかの電池３１で構成されている。
【００２８】
そして、上記光照射部１０、制御回路部２０及び電源部３０が円筒状の本体４０内に収容されている。本体４０は、前部側の内径及び外径が夫々その先端に向って徐々に縮小し、後部側の内径及び外径は夫々同径でその後端まで延びており、本体４０の前部側から後部側に向って光照射部１０、制御回路部２０及び電源部３０の順に配置されている。
【００２９】
また、本体４０は後端開口４１を有しており、この後端開口４１は電源部３０の電池３１を交換するための電池交換口となる。電池交換口には電池３１の電極との電気的な接続を兼ねた開閉自在の開閉蓋４２が螺着されている。
【００３０】
更に、上記光照射部１０、制御回路部２０及び電源部３０は本体４０内で電気的に接続されており、具体的には、電源部３０の電池３１が制御回路部２０の、放電コンデンサ２１が接続された回路部品実装基板２４に接続され、回路部品実装基板２４の出力端子（図示せず）が光照射部１０の放電管１１に接続されている。
【００３１】
光照射部１０（図２参照）は、上述したように、放電管１１とリフレクタ１２と透光窓１３で構成されており、夫々の適宜な形状・寸法とそれ等の適宜な位置関係により本体４０の先端部の小スペース内にほぼ理想的な光学系を形成している。
【００３２】
そのうち、放電管１１は、筒状のガラス管内に例えば、キセノン、クリプトン、ネオン、アルゴン等の不活性ガスの希ガスを封入すると共に両端部内に対向電極を配置したものであり、対向電極間に高電圧を印加することによりアーク放電が生じて発光が開始されるものである。
【００３３】
そして、この放電管１１は、本体４０の先端部内に該本体４０の長手方向に沿って配置されている。
【００３４】
リフレクタ１２は、１枚の平板状の金属部材に、切断加工・折曲加工等の板金加工を施すことによりＵ字柱状（本実施例においては放物柱状）に形成されており、少なくともその内周面の放物柱面は光反射面１２ａとされている。
【００３５】
この場合、金属部材として反射性を有する部材を用いた場合には反射処理を施す必要はないが、金属部材が十分な反射性を有しないときは、少なくとも内周面にアルミ蒸着やクロムメッキ等による金属反射膜を形成して光反射面とする。
【００３６】
この放物柱状のリフレクタ１２は、その放物柱面からなる光反射面１２ａの焦点を結ぶ線分上に放電管１１の中心軸Ｘが位置するように配置されている。つまり、リフレクタ１２はその長手方向を本体４０の傾斜面４０ｄの傾斜方向と同一方向とするものであり、放電管１１がリフレクタ１２で囲まれた状態にある。
【００３７】
リフレクタ１２の開口１２ｂの前方には、リフレクタ１２の長手方向と同一の方向を長手方向とする透光窓１３が配置されている。透光窓１３は透明材料で形成され、本体４０の傾斜面４０ｄの傾斜方向に沿って設けられた貫通窓４０ａに、該透光窓１３の外面（外側に向いた面）１３ａが本体４０から突出した状態で嵌め込まれている。
【００３８】
したがって、放電管１１とリフレクタ１２と透光窓１３の位置関係は、夫々の長手方向を同一方向とし、放電管１１をリフレクタ１２とリフレクタ１２の開口１２ｂ前方に位置する透光窓１３によって覆った状態にある。
【００３９】
次に、光照射部１０を構成する放電管１１、リフレクタ１２及び透光窓１３で構成された光学系において、放電管１１から発せられた光の光路形成について図３を参照して説明する。
【００４０】
まず、電源部３０の電池３１から回路部品実装基板２４上の昇圧充電回路に電力が供給されると、昇圧充電回路で放電管１１の発光電圧まで昇圧されて放電コンデンサ２１を満充電状態にする。その後、閃光用スイッチ２３を入れると、放電コンデンサ２１の放電による大電流で放電管１１が発光して閃光を発する。
【００４１】
放電管１１から発せられた閃光は、図３のように、その一部の光線Ｌ１は直接透光窓１３に向い、一部の光線Ｌ２はリフレクタ１２の内周面である光反射面１２ａに向い、光反射面１２ａで反射された反射光線が略平行光となって透光窓１３に向かう。
【００４２】
そして、透光窓１３の内面（光入射面）１３ｂに到達した、放電管１１からの直射光線Ｌ１及び放電管１１から発せられて光反射面１２ａで反射された反射光線Ｌ２は共に、透光窓１３内を導光されてその略平行光が外面（光出射面）１３ａを介して外部に照射される。
【００４３】
その結果、本体４０に嵌め込まれた透光窓１３からは、放電管１１からの閃光発光の多くが略平行光とされた状態で外部に照射されるため、高出力で高密度の光エネルギーが瞬時に照射されることになる。
【００４４】
図４は、本実施例のペン型の小型光照射装置１の実際の使用方法を示すものである。まず、図４（ａ）のように、例えば熱変色性インク（本実施例では熱により消色する熱変色性インク）で文字や図柄等４６が記された原稿４５と小型光照射装置１を準備し、原稿４５上に小型光照射装置１を持って行く。
【００４５】
次に、図４（ｂ）のように、原稿４５上の文字や図柄等４６の不要で消色したい部分に、小型光照射装置１の透光窓１３の本体４０から突出した外面１３ａを当てて閃光用スイッチ２３を操作する。すると、透光窓１３の外面（光出射面）１３ａから閃光が照射され、その近赤外線及び可視光線による光エネルギーを受けた部分の文字や図柄等が熱により消色される。
【００４６】
次に、図４（ｃ）のように、小型光照射装置１を原稿４５から離すことにより、文字や図柄等４６の不要な部分が消色（消色領域４７）された原稿４５を得ることができる。
【００４７】
なお、不要で消色したい部分が広範囲に亘るため１回の閃光照射では全部が消色しきれない場合は、本体４０の透光窓１３を少しずつ移動させながら閃光照射を繰り返すことにより全ての不要部分を消色することができる。
【００４８】
このとき、小型光照射装置１からは上述のように高出力で高密度の光エネルギーが照射されるが、光エネルギーの照射は連続的に行われるものではなく閃光照射により断続的に行われるものである。そのため、発光時の発熱量が大きい放電管１１にあっても、１回の閃光照射に係わる発光時間が極めて短時間であるためそれに伴う発熱時間も極めて短時間であり、発熱量自体も極めて少ない。
【００４９】
そのため、閃光照射を繰り返すことにより広範囲の消色を行う場合であっても、全消色時間に対する放電管１１の平均発熱量を少なく抑えることができ、使用者をやけどなどの危険な状態に晒すことがない。
【００５０】
以上にように、本実施例のペン型の小型光照射装置１は、放電管１１とリフレクタ１２で生成された照射光を外部に照射する透光窓１３が本体４０から突出して設けられており、突出部の外面（光出射面）１３ａを文字や図柄等の不要な部分に位置させることにより簡単に且つ正確に照射領域の位置決めを行うことができる。それと同時に、照射領域は透光窓１３の外面（光出射面）１３ａ全面がその範囲となる。そのため、原稿に透光窓１３の外面を当てた状態で照射することにより、所望の消色領域の文字や図柄等を正確・確実に消色することができる。
【００５１】
また、ペン型本体４０の小スペース内に、電源部３０、制御回路部２０及び光照射部１０の領域を設け、夫々の領域に電池３１、放電コンデンサ２１を含む回路部品実装基板２４及び光学部品を収納するようにした。その結果、筆記具と同等の使用感覚で消色操作をすることが可能となると共に、ペンケースに収容できることにより優れた携帯性を有するものとなった。
【００５２】
電源部３０においては、一次電池又は二次電池のいずれかの電池３１を用いるようにしたため電源容量を小さくすることができ、省エネルギーに寄与するものとなった。
【００５３】
光照射部１０においては、本体４０の先端部の小スペース内に、光源の放電管１１と、放電管１１を囲むように位置する放物柱状のリフレクタ１２を配置し、放電管１１をリフレクタ１２とリフレクタ１２の開口１２ｂ前方に位置して本体４０の貫通窓４０ａに嵌め込まれた透光窓１３によって覆うようにした。
【００５４】
そのため、放電管１１から発せられた光のほとんどが、放電管１１からの直射光、又は放電管１１から発せられてリフレクタ１２の光反射面１２ａで反射された反射光の何れかとなって透光窓１３に到達し、透光窓１３内を導光された光が略平行光として外部に照射される。
【００５５】
その結果、放電管１１から発せられた光のうち消色に寄与する光の割合が大きく、高い光利用効率により確実に消色を行うことが可能となった。
【００５６】
その上、光源の放電管１１は、小型、長寿命で、低消費電力で発光光量が大きい。そのため、光照射部１０は放電管１１の大きい発光光量と上述の高い光利用効率とを併せ持つことになるため、消色に寄与する光量が格段に大きくなり、消色の確実性を更に向上させることが可能となる。
【００５７】
また、リフレクタ１２は、１枚の平板状の金属部材から簡単な板金加工により所望の形状・寸法に形成するものであり、材料費及び加工費の低減により製造コストの低減化を実現することができる。
【００５８】
なお、本実施例のペン型の小型光照射装置１は、ペン型本体４０の小スペース内に光照射部１０、制御回路部２０及び電源部３０からなる全ての構成要素が高密度で実装されている。そこで、この高密度実装技術を活用して、消色機能と共に消色性インキによる筆記機能を備えた筆記・消色機能一体型装置を実現することも可能である。これにより、携帯性に優れた１本のペン型筆記・消色装置によって、筆記「書く」及び消色「消す」の両方の操作が可能になる。
【実施例２】
【００５９】
図５は本発明の実施例２に係わる小型光照射装置の構成を模式的に示した説明図、図６は図５の部分断面を模式的に示した説明図、図７は小型光照射装置の使用状態を示す説明図である。
【００６０】
図５及び図６より、本実施例の小型光照射装置１は、立方体又は直方体形状をなす消しゴム型の本体４０内に、光照射部１０、制御回路部２０及び電源部３０が収容されており、本体４０の稜線部４０ｂの一部に該稜線４０ｃに沿って設けられ貫通窓４０ａに、透明材料で形成された透光窓１３が外面（外側に向いた面）１３ａを稜線４０ｃから突出した状態で嵌め込まれている。
【００６１】
光照射部１０、制御回路部２０及び電源部３０の夫々の構成は上記実施例１と同様である。また、光照射部１０、制御回路部２０及び光源部３０が本体４０内に収容されると共に透光窓１３が本体４０に設けられた貫通窓４０ａに、該透光窓１３の外面（外側に向いた面）１３ａが本体４０から突出した状態で嵌め込まれている構成も実施例１と同様である。
【００６２】
特に、光照射部１０が、放電管１１とリフレクタ１２と透光窓１３で構成されており、夫々の適宜な形状・寸法とそれ等の適宜な位置関係により本体４０の小スペース内にほぼ理想的な光学系を形成している点、具体的には、放電管１１とリフレクタ１２と透光窓１３が夫々の長手方向を同一方向とし、放電管１１をリフレクタ１２とリフレクタ１２の開口１２ｂ前方に位置する透光窓１３によって覆うような位置関係にある点、及びこれら光学部品で構成された光学系による光路形成も実施例１と同様である。
【００６３】
つまり、実施例１と実施例２の構造的な違いは、本体の形状（実施例１は本体の形状が筒状のペン型であるのに対し、実施例２の本体の形状は立方体又は直方体形状の消しゴム型）の違いと、その違いに基づく本体の形状に対する光源、透光窓、リフレクタの配置の違いである。光源、透光窓、リフレクタ、制御回路部、電源部等の部品自体についての構成は実施例１とほぼ共通するため、それぞれの部品についての本実施例に係わる詳細な説明は省略する。
【００６４】
図７は、本実施例の消しゴム型の小型光照射装置１の実際の使用方法を示すものである。まず、図７（ａ）のように、消色性インクで文字や図柄等４６が記された原稿４５と小型光照射装置１を準備し、原稿４５上に小型光照射装置１を持って行く。
【００６５】
次に、図７（ｂ）のように、原稿４５上の文字や図柄等４６の不要で消色したい部分に、小型光照射装置１の透光窓１３の本体４０から突出した外面１３ａを当てて閃光用スイッチ２３を操作する。すると、透光窓１３の外面（光出射面）１３ａから閃光が照射され、その近赤外線及び可視光線による光エネルギーを受けた部分の文字や図柄等が熱により消色される。
【００６６】
次に、図７（ｃ）のように、小型光照射装置１を原稿４５から離すことにより、文字や図柄等４６の不要な部分が消色（消色領域４７）された原稿４５を得ることができる。
【００６７】
なお、不要で消色したい部分が広範囲に亘るため１回の閃光照射では全部が消色しきれない場合は、本体４０の透光窓１３を少しずつ移動させながら閃光照射を繰り返すことにより全ての不要部分を消色することができる。
【００６８】
但し、構造的に、実施例１の透光窓１３に対して実施例２の透光窓１３の幅及び長さを大きくすることができるため、１回の閃光によって広範囲の領域を消色することが可能となる。
【００６９】
そのため、実施例１のペン型の小型光照射装置を用いるのか、或いは実施例２の消しゴム型の小型光照射装置を用いるのか、の選択は、携帯の際の利便性や使用の際の簡便性と共に、照射領域の大きさ等の実用性を考慮して決められる。
【００７０】
以上のように、実施例２は実施例１に対して本体の形状は異なるが、その他、部品構成や光学系等の主要な部分については同様である。したがって、実施例２の作用効果についても上述の実施例１に係わる作用効果と同様なものとなる。
【００７１】
なお、本体４０の形状は、上述の立方体又は直方体形状に限られるものではなく、互いに交差する平面で形成される稜線を少なくとも１つ有する形状、又は２つの平面に交差する平面（交差平面）を少なくとも１つ有する形状であればよく、後者の、交差平面を有する形状の場合は、交差平面に沿って貫通窓が設けられ、その貫通窓に透光窓が嵌め込まれる。その場合、透光窓の外面（外側に向いた面）は必ずしも交差平面から突出する必要はない。
【実施例３】
【００７２】
図８は本発明の実施例３に係わる光照射装置の構成を模式的に示した説明図、図９は光照射装置の使用状態を示す説明図である。
【００７３】
図８より、本実施例の光照射装置１は、スタンプ型の光照射装置であり、光照射部１０、制御回路部２０及び電源部３０を備えた可動本体部５０と可動部本体５０の移動をガイドする固定支持部６０からなり、可動本体部５０が固定支持部６０に沿って移動可能に一体的に嵌合されている。
【００７４】
可動本体部５０は、下端開口を有する本体部ハウジング５１内に光照射部１０、制御回路部２０及び電源部３０が収容されている。そのうち、制御回路部２０が放電コンデンサ２１と回路部品実装基板２４で構成され、電源部３０が一次電池又は二次電池のいずれかの電池３１で構成されている点は上記実施例１及び実施例２と同様である。
【００７５】
但し、光照射部１０の構成は、実施例１及び実施例２が放電管１１とリフレクタ１２と透光窓１３で構成されていたのに対し、本実施例においては、光源の放電管１１と放電管１１からの出射光の反射に係わるリフレクタ１２の２つの光学部品で構成されている。そしてこれら２つの光学部品で構成された光学系により光路形成がなされるものである。
【００７６】
この場合、放電管１１及びリフレクタ１２は実施例１及び実施例２と同様のものが用いられ、互いの位置関係も同様である。そして、本体部ハウジング５１内の上部に制御回路部２０と電源部３０が収容され、下部の中央部に、固定支持部６０の支持部ハウジング６１の下端開口６１ａと平行に配置された放電管１１とリフレクタ１２で構成された光照射部１０が収容されている。
【００７７】
リフレクタ１２は、その開口１２ｂが固定支持部６０の支持部ハウジング６１の下端開口６１ａ側に向くように配置されており、放電管１１からの直射光及び放電管１１から発せられてリフレクタ１２で反射された反射光が支持部ハウジング６１の下端開口６１ａから外部に照射されるようになっている。
【００７８】
図９は、本実施例のスタンプ型の光照射装置１の実際の使用方法を示すものである。まず、図９（ａ）のように、例えば熱変色性インク（本実施例では熱により消色する熱変色性インク）で文字や図柄等４６が記された原稿４５と光照射装置１を準備し、原稿４５上に光照射装置１を持って行く。
【００７９】
次に、図９（ｂ）のように、原稿４５上の文字や図柄等４６の不要で消色したい部分が中央に位置するように支持部ハウジング６１の下端開口端部６１ｂを原稿４５上に当接させて光照射装置１をセットする。
【００８０】
次に、図９（ｃ）のように、可動本体部５０を固定支持部６０に沿って下方（原稿の方向）にリフレクタ１２の開口端部に設置された透光窓１３が原稿４５に当接するまで移動（下降）させる。すると、図示しないが光照射装置１に内蔵した閃光用スイッチが可動本体部５０の移動に連動して作動し、放電管１１が発光する。
【００８１】
すると、原稿４５の、リフレクタ１２の開口端部に設置された透光窓１３で覆われた領域に放電管１１からの閃光が照射され、その近赤外線及び可視光線による光エネルギーを受けた部分の文字や図柄等が熱により消色される。
【００８２】
次に、図９（ｄ）のように、光照射装置１を原稿４５から離すことにより、文字や図柄等４６の不要な部分が消色（消色領域４７）された原稿４５を得ることができる。
【００８３】
以上のように、本実施例は、構造的に上記実施例１及び実施例２のような小型化は難しいが、リフレクタ１２の開口端部に設置された透光窓１３が直接原稿４５に接した状態で放電管１１の閃光を原稿４５に照射することができる。
【００８４】
つまり、放電管１１は原稿４５とリクレクタ１２で包囲された状態の中で発光し、放電管１１からの出射光が原稿４５に照射されるまでの光路はリフレクタ１２内で形成されて外部に漏れる光はほとんどない。
【００８５】
そのため、放電管１１からの出射光のほとんどが消色作用に寄与し、光の利用効率が極めて高いものとなる。その結果、高出力で高密度の光エネルギーを瞬時に照射することが可能となり、確実な消色処理を実現することができる。
【００８６】
また、リフレクタ１２の開口１２ｂの形状寸法を適宜設定することにより、１回の閃光で消色する消色範囲を簡単に変更することができる。そのため、所望の消色範囲の設計自由度が高い光照射装置が実現できる。
【００８７】
更に、支持部ハウジング６１で文字や図柄等の不要な部分を包囲することにより、簡単に且つ正確に照射領域の位置決めを行うことができる。そのため、所望の消色領域の文字や図柄等を正確・確実に消色することができる。
【００８８】
なお、本体部ハウジング５１と支持部ハウジング６１のいずれか、又は両方を透明材料で形成することで、透明部材を通して見えるリフレクタ１２の開口端部に設置された透光窓１３を文字や図柄等４６の不要な部分に位置させることにより簡単に且つ更に正確に照射領域の位置決めを行うことができる。そのため、所望の消色領域の文字や図柄等を一層正確・確実に消色することができる。
【００８９】
なお、上記いずれの実施例においても、インクは熱により消色するインク（消色性インク）を用いているが、インクの種類はこれに限らず、熱により変色するインク（変色性インク：玩具等に使用される）等も含まれる。
【００９０】
また、リフレクタ１２の形状を放物柱状としたが、リフレクタ１２の形状はこれに限られるものではなく、放電管１１を囲むような断面Ｕ字状のＵ字柱状であればよい。放物柱状はＵ字柱状の具体例の一例である。
【符号の説明】
【００９１】
１…  光照射装置
１０…  光照射部
１１…  放電管
１２…  リフレクタ
１２ａ…  光反射面（内周面）
１２ｂ…  開口
１３…  透光窓
１３ａ…  外面（光出射面）
１３ｂ…  内面（光入射面）
２０…  制御回路部
２１…  放電コンデンサ
２２…  回路部品
２３…  閃光用スイッチ
２４…  回路部品実装基板
３０…  電源部
３１…  電池
４０…  本体
４０ａ…  貫通窓
４０ｂ…  稜線部
４０ｃ…  稜線
４０ｄ…  傾斜面
４１…  後端開口
４２…  開閉蓋
４５…  原稿
４６…  文字・図柄
４７…  消色領域
５０…  可動本体部
５１…  本体部ハウジング
６０…  固定支持部
６１…  支持部ハウジング
６１ａ…  下端開口
６１ｂ…  下端開口端部
【図１】
0005508212.tif 000002
【図２】
0005508212.tif 000003
【図３】
0005508212.tif 000004
【図４】
0005508212.tif 000005
【図５】
0005508212.tif 000006
【図６】
0005508212.tif 000007
【図７】
0005508212.tif 000008
【図８】
0005508212.tif 000009
【図９−１】
0005508212.tif 000010
【図９−２】
0005508212.tif 000011
【図１０】
0005508212.tif 000012
【図１１】
0005508212.tif 000013